(57)【要約】  夫々少なくとも１つの光放射器が設けられていて、２本の電流給電線を介して１つの鎖状構成体となるように接続された多数の配線板を有する変形可能な照明モジュール。電流給電線は、１つの鎖状構成体の各配線板全てに亘って間断なく接続されており、１つの鎖状構成体の各配線板は相互に並列に接続されている。
2007519961.tif 000002
【特許請求の範囲】
【請求項１】
夫々少なくとも１つの光放射器が設けられていて、２本の電流給電線を介して１つの鎖状構成体となるように接続された多数の配線板を有する変形可能な照明モジュールにおいて、
電流給電線は、１つの鎖状構成体の各配線板全てに亘って間断なく接続されており、前記１つの鎖状構成体の各配線板は相互に並列に接続されていることを特徴とする変形可能な照明モジュール。
【請求項２】
配線板上に、少なくとも１つの光放射器の他に、付加的に少なくとも１つの別の電子コンポーネントが設けられていて、前記光放射器と電気的に接続されている請求項１記載の変形可能な照明モジュール。
【請求項３】
夫々２つの配線板間の接続部の補強のために、電流給電線は、前記２つの配線板間で１つの束となるように接続されている請求項１又は２記載の変形可能な照明モジュール。
【請求項４】
配線板は、多数の配線板対内でグループにまとめられ、夫々１つの配線板対の光放射器が、１本の接続線を用いて両配線板間に接続されている請求項１〜３迄の何れか１記載の変形可能な照明モジュール。
【請求項５】
光放射器は、発光ダイオードである請求項１〜４迄の何れか１記載の変形可能な照明モジュール。
【請求項６】
電流給電線は、夫々２つの配線板間にメアンダ状に配線されている請求項１〜５迄の何れか１記載の変形可能な照明モジュール。
【請求項７】
配線板は、当該配線板の相互に同じ側の端の方向に先細に形成されており、各電流給電線は、前記配線板の広幅の真ん中の部分から始まって当該配線板の縁部に沿って一緒に案内されている請求項１〜６迄の何れか１記載の変形可能な照明モジュール。
【請求項８】
配線板は、菱形又は扁平に押し潰された六角形又は八角形の形状に形成されており、該形状において、長手方向軸線は、鎖状構成体の主延在方向に沿って位置している請求項７記載の変形可能な照明モジュール。
【請求項９】
夫々、２つの配線板間の曲げ半径も、前記２つの配線板間の間隔も変えることができる請求項１〜８迄の何れか１記載の変形可能な照明モジュール。
【発明の詳細な説明】
【技術分野】
【０００１】
本発明は、夫々少なくとも１つの光放射器が設けられていて、２本の電流給電線を介して１つの鎖状構成体となるように接続された多数の配線板を有する変形可能な照明モジュールに関する。本発明は、殊に、例えば、発光文字記号表示装置（Ｌｅｕｃｈｂｕｃｈｓｔａｂｅｎ）内での、アクリルのような光透過性材料の背景照明用の照明モジュールに関する。
【０００２】
公知の、そのような照明モジュール、例えば、ＧＥＬＣｏｒｅ又はＬＥＤｓｃｈｌａｕｃｈ  ｖｏｎ  Ｈａｎｓｅｎ−ｎｅｏｎのＴｅｔｒａ（登録商標）ＬＥＤシステムは、発光ダイオード構成素子毎の間隔を変えられず、従って、輝度に関してスケーリング不可能であり、できる限り均一な輝度に関しての放射特性に応じて、発光文字記号表示装置の非常に制限された大きさの領域に対してしか用いることができない。更に、この照明モジュールの最大長さは、非常に制限される。
【０００３】
本発明の課題は、輝度を簡単に変えることができ、従来技術よりも長い鎖状構成体にすることができる、冒頭に記載した形式の照明モジュールを構成することにある。
【０００４】
この課題は、請求項１記載の要件を有する照明モジュール、つまり、電流給電線は、１つの鎖状構成体の各配線板全てに亘って間断なく接続されており、１つの鎖状構成体の各配線板は相互に並列に接続されていることにより解決される。照明モジュールの有利な実施例は、従属請求項に記載されている。
【０００５】
本発明の照明モジュールでは、多数の配線板が設けられており、この配線板上に、夫々少なくとも１つの光放射器、殊に、発光ダイオード構成素子が設けられており、２本の中実電流給電線を介して、１つの鎖状構成体となるように接続されている。電流給電線は、間断なく鎖状構成体の各配線板全てに亘って接続されている。この電流給電線を用いて、鎖状構成体の各配線板は、相互に並列に接続されている。
【０００６】
ここで「間断なく」という概念には、各電流給電線が各配線板上で横断面がほぼ低減せずに電気的にずっと接続されている全ての実施例が属する。
【０００７】
各配線板上に、少なくとも１つの光放射器の他に、付加的に少なくとも１つの別の電子構成部品が設けられており、この電子構成部品は、光放射器と電気的に接続されている。
【０００８】
有利な実施例では、夫々２つの配線板間の接続部の補強のために、電流給電線は、２つの配線板間で１つの束となるように接続、例えば、クリンプ（ｃｒｉｍｐ）されている。
【０００９】
特別な実施例では、配線板は、多数の配線板対内でグループにまとめられ、夫々１つの配線板対の光放射器が、１本の接続線を用いて両配線板間に接続されている。
【００１０】
特に有利には、光放射器は、発光ダイオードである。
【００１１】
電流給電線は、夫々２つの配線板間に有利にメアンダ状に配線されている。こうすることによって、一方では、２つの配線板間の間隔を変えることができ、他方では、鎖状構成体の曲げ半径を簡単に変えることができる。
【００１２】
特に有利には、配線板は、当該配線板の相互に同じ側の端の方向に先細に形成されており、電流給電線は、広幅の真ん中の部分から始まって配線板の縁部に沿って一緒に配線されている。各配線板は、そのために有利な、菱形又は扁平に押し潰された六角形又は八角形の形状に形成されており、該形状において、長手方向軸線は、鎖状構成体の主延在方向に沿って位置している。導体版として、プリント配線板（ＰＣＢ）を使ってもよいし、金属製の導体フレーム（リードフレーム）を使ってもよく、プリント配線板乃至導体フレームの上に、光放射器が設けられており、場合によっては、所属の電子構成素子が設けられている。しかも、配線板をＭＩＤテクノロジ（例えば、加熱による型押し（Ｈｅｉｓｓｐｒａｅｇｅｎ）を含む）を用いて製造してもよい。
【００１３】
本発明の照明モジュールの特別な利点は、生産工程を変更せずに、簡単に、顧客の特別な要望に応えることができる点にある。各配線板間の電流給電ケーブル束をメアンダ状に形成することによって、各配線板間の間隔をかなり大幅に変更することができ、従って、各照明モジュールの長さを同じにすることができる。
【００１４】
本発明の照明もジュールは、有利には、簡単に、オープンリール（Ｒｅｅｌ−ｔｏ−Ｒｅｅｌ）方式を用いて製造することができ、その際、「エンドレス（"ｅｎｄｌｏｓｅｒ"）」形式の電流給電線路を所定の間隔で絶縁を除去し、この個所で、各配線板は、それ以外全部の電流給電線路に接続され、この電流給電線路に結合されている。
【００１５】
特に有利な実施例では、電流給電線は、専ら各配線板の前側（光放射器が設けられている）で配線されている。各配線板は、その際、有利には、偏平な裏面を有するようにしてもよく、そうすることによって、例えば、ネジを用いて、それに対応して設けられた穴を通して、又は、両面接着テープを用いて技術的に簡単に直接取り付けることができる。
【００１６】
別の利点、実施例及び有利な実施例について、図示の実施例を用いて以下説明する。
【００１７】
図は、実施例の平面略図を示す。
【００１８】
図は、基本的に尺度通りに示してはいない。個別の各構成部は、基本的に、実際の大きさ比で相互に図示されている。
【００１９】
実施例では、多数の配線板１が設けられており、この配線板上に、光放射器として、夫々２つの発光ダイオード構成素子２が設けられており、２つの電流給電線３，４を介して、１つの鎖状構成体となるように接続されている。電流給電線３，４は、間断なく鎖状構成体の全部の配線板１に亘って案内され、鎖状構成体の各配線板１を並列に相互に接続している。
【００２０】
各配線板１上に、発光ダイオード構成素子２の他に、夫々別の電子構成素子５が設けられており、電子構成素子は、各発光ダイオード構成素子２と電気的に接続されている。
【００２１】
電流給電線３，４は、夫々２つの配線板１間の接続状態を強化するために、これら２つの配線板間で１つの束となるようにまとめられてクリンプ（ｃｒｉｍｐ）されている。択一的に、各配線板の領域内で切り離されるように、偏平バンドケーブルを用いてもよい。
【００２２】
相互に隣り合った夫々２つの配線板の各発光ダイオード構成素子が相互に接続されている実施例では、この接続は、両配線板間の別の接続線を用いて行われる。
【００２３】
夫々２つの配線板１間で、給電線３，４がメアンダ状に接続されている。
【００２４】
各配線板１は、鎖状構成体の第１の延在方向に沿って延びた八角形の形状を有しており、電流給電線３，４は、各配線板の広幅の中間部分から出発して各配線板の縁部に沿って一緒に案内されている。各配線板１は、殊に裏側のコンタクトを有しておらず、そうすることによって、照明モジュールを組み込む際に、例えば、短絡を回避するために、特別な事前措置を講じないで済む。
【００２５】
各配線板は、例えば、偏平な裏側面を有しており、そうすることによって、例えば、ネジを用いて、それに対応して設けられた穴を通して、又は、両面接着テープを用いて直接取り付けることができる。
【００２６】
照明モジュールは、有利には、簡単にオープンリール（Ｒｅｅｌ−ｔｏ−Ｒｅｅｌ）方式を用いて製造することができ、その際、「エンドレス（"ｅｎｄｌｏｓｅｒ"）」形式の電流給電線路を所定の間隔で絶縁を除去し、この個所で、各配線板は、それ以外全部の電流給電線路に接続され、この電流給電線路に結合されている。
【００２７】
照明モジュールは、任意に２次的な光学要素をビーム整形のために有しているようにしてもよく、例えば、取り外し可能（例えば、プラグ結合又はクランプ結合）又は取り外し不可能（例えば、接着剤を用いて）各配線板１上に取り付けられた収束レンズ又は散乱レンズ及び/又は回折光学系（図示していない）を有しているようにしてもよい。従って、照明モジュールの輝度及び/又は輝度の均一度を、発光ダイオード構成素子２の放射特性を変えることによって適合させることができる。
【００２８】
実施例を用いた本発明の説明は、当然、本発明をこの実施例に限定するものではない。前述の説明、図面並びに本発明の請求項に開示した各要件は、個別にも任意に組み合わせても本発明の実施にとって重要である。
【図面の簡単な説明】
【００２９】
【図１】実施例の平面略図
【図１】
2007519961.tif 000003
【国際調査報告】
2007519961.tif 000004
2007519961.tif 000005
2007519961.tif 000006
2007519961.tif 000007
2007519961.tif 000008
2007519961.tif 000009